(57)【特許請求の範囲】
【請求項１】
開閉体または前記開閉体を移動可能に案内する固定部材のいずれか一方に取り付けられた被捕捉部材と、
前記開閉体または固定部材の他方に取り付けられ、前記被捕捉部材を捕捉するための捕捉部材、および、前記開閉体を前記固定部材に沿って移動させる開閉力によって前記被捕捉部材と当接して押圧されることによって前記捕捉部材を移動させて前記被捕捉部材を捕捉する当接ブロックを有する捕捉引込機構と、
前記捕捉部材が前記被捕捉部材を捕捉した状態で、前記開閉体を強制的に閉じる方向へ付勢する第１の弾性体と、
を備えた開閉体閉止装置であって、
前記捕捉引込機構は、前記開閉体を前記固定部材に沿って移動させる開閉力によって前記捕捉部材および前記当接ブロックをスライド移動させるリンク機構を備え、前記被捕捉部材を捕捉する際に、前記被捕捉部材に対して前記当接ブロックが押圧される方向に移動するように構成され、
前記捕捉部材は、前記当接ブロックが被捕捉部材に当接して押圧されると、前記被捕捉部材に近づく方向に移動して、前記当接ブロックと共に前記被捕捉部材を、前記閉鎖体の開閉方向の前後位置にて捕捉するように構成されていることを特徴とする開閉体閉止装置。
【請求項２】
前記捕捉部材が、前記開閉体を開閉させる速度よりも遅い速度で移動するようにしたことを特徴とする請求項１に記載の開閉体閉止装置。
【請求項３】
前記リンク機構は、
前記捕捉部材に取り付けられたリンクピンと、
前記リンクピンが挿通される誘導孔を有し、前記誘導孔に沿って前記捕捉部材を上下に移動させる内包ブロックと、
前記当接ブロックと、
で構成され、
前記当接ブロックには、前記リンクピンが挿通される傾斜孔が形成され、前記被捕捉部材に押圧されたときに、前記傾斜孔に沿って前記捕捉部材を上下方向に移動させると共に、前記傾斜孔に沿って前記内包ブロックに対して相対的に前後方向に移動するようにしたことを特徴とする請求項１または２に記載の開閉体閉止装置。
【請求項４】
前記リンク機構は、前記内包ブロックと前記当接ブロックとの間に、捕捉解除時に前記当接ブロックを前方向に付勢して、捕捉解除時のリンク機構の動きを促進する第２の弾性体を備えたことを特徴とする請求項１、２または３に記載の開閉体閉止装置。
【請求項５】
前記捕捉引込機構は、前記捕捉部材をスライド移動させて捕捉解除したときに、前記第１の弾性体の付勢力を保持するロック機構を備えていることを特徴とする請求項１から請求項４までのいずれか１つに記載の開閉体閉止装置。
【請求項６】
前記ロック機構は、前記リンクピンが挿通されるガイド孔を備え、このガイド孔は、前記リンクピンを前記第１の弾性体が付勢する方向へと案内する前後長孔と、前記リンクピンを前記第１の弾性体が付勢する方向と異なる方向へ案内する上下長孔とで構成されていることを特徴とする請求項５に記載の開閉体閉止装置。
【発明の詳細な説明】
【技術分野】
【０００１】
本発明は、引き戸や抽斗などの開閉体を強制的に閉止させるための開閉体閉止装置に関する。
【背景技術】
【０００２】
従来、引き戸などの開閉体を強制的に閉止させるものとして、開閉体閉止装置が知られている。この開閉体閉止装置は、例えば、引き戸を案内するための引き戸レール側に取付られた被捕捉部材と、引き戸側に取り付けられた捕捉引込機構とで構成されている。
【０００３】
この捕捉引込機構は、連結軸を中心に回動可能に構成された捕捉部材を備えており、この捕捉部材は、回動した所定位置で突起状の被捕捉部材を捕捉し、または捕捉解除する。また、捕捉引込機構は、引き戸を閉止する方向に引き寄せるためのばねと、このばね力を緩衝するダンパーとを備えている。
【０００４】
この捕捉引込機構は、捕捉部材が被捕捉部材を捕捉していない状態では、その内部のばね力が作用しない（引き戸を閉止しない）ようになっている。一方、捕捉部材が被捕捉部材を捕捉している状態では、ばね力が作用して引き戸を閉止する方向に引き寄せるようになっている。
【０００５】
これにより、開閉体閉止装置は、引き戸の閉まり際に、捕捉引込機構の捕捉部材が被捕捉部材を捕捉することによって、引き戸が強制的に閉位置に誘導されると共に、ダンパーによって引き戸が緩やかに閉止するようになる（例えば、特許文献１、２参照）。
【先行技術文献】
【特許文献】
【０００６】
【特許文献１】特開２００９−１９１４６９号公報
【特許文献２】特開２０１０−４３４７２号公報
【発明の概要】
【発明が解決しようとする課題】
【０００７】
上述した開閉体閉止装置では、引き戸が引き戸レール上を走行する際に所定位置で被捕捉部材と捕捉引込機構の捕捉部材とが係合（閉止時）または係合解除（開時）する動作が生じる。すなわち、捕捉部材は、この所定位置での引き戸の開閉力によって回動して被捕捉部材を捕捉する。そして、この捕捉部材が回動する速度は、この所定位置において引き戸を閉止させる速度とほぼ同じ速度になる。そのため、この所定位置で引き戸を勢いよく閉止させようとした場合、捕捉部材と被捕捉部材とが勢いよく係合してしまい、係合音が発生してしまう。この係合音は、特に、家庭の居室などに開閉体閉止装置を設置する場合に耳障りに聞こえてしまうことがある。
【０００８】
本発明は、上述した事情を鑑みてなされたものであり、被捕捉部材と捕捉引込機構の捕捉部材との捕捉時に発生する係合音をより小さくすることができる開閉体閉止装置を提供するためのものである。
【課題を解決するための手段】
【０００９】
上述課題を解決するため、本発明の開閉体閉止装置は、開閉体または前記開閉体を移動可能に案内する固定部材のいずれか一方に取り付けられた被捕捉部材と、前記開閉体または固定部材の他方に取り付けられ、前記被捕捉部材を捕捉するための捕捉部材、および、前記開閉体を前記固定部材に沿って移動させる開閉力によって前記被捕捉部材と当接して押圧されることによって前記捕捉部材を移動させて前記被捕捉部材を捕捉する当接ブロックを有する捕捉引込機構と、前記捕捉部材が前記被捕捉部材を捕捉した状態で、前記開閉体を強制的に閉じる方向へ付勢する第１の弾性体と、を備えた開閉体閉止装置であって、前記捕捉引込機構は、前記開閉体を前記固定部材に沿って移動させる開閉力によって前記捕捉部材および前記当接ブロックをスライド移動させるリンク機構を備え、前記被捕捉部材を捕捉する際に、前記被捕捉部材に対して前記当接ブロックが押圧される方向に移動するように構成され、前記捕捉部材は、前記当接ブロックが被捕捉部材に当接して押圧されると、前記被捕捉部材に近づく方向に移動して、前記当接ブロックと共に前記被捕捉部材を、前記閉鎖体の開閉方向の前後位置にて捕捉するように構成されていることを特徴とする。
【００１０】
また、前記捕捉部材が、前記開閉体を開閉させる速度よりも遅い速度で移動するようにしてもよい。
【００１２】
さらに、前記リンク機構は、前記捕捉部材に取り付けられたリンクピンと、前記リンクピンが挿通される誘導孔を有し、前記誘導孔に沿って前記捕捉部材を上下に移動させる内包ブロックと、前記当接ブロックと、で構成され、前記当接ブロックには、前記リンクピンが挿通される傾斜孔が形成され、前記被捕捉部材に押圧されたときに、前記傾斜孔に沿って前記捕捉部材を上下方向に移動させると共に、前記傾斜孔に沿って前記内包ブロックに対して相対的に前後方向に移動するようにしてもよい。
【００１３】
さらにまた、前記リンク機構は、前記内包ブロックと前記当接ブロックとの間に、捕捉解除時に前記当接ブロックを前方向に付勢して、捕捉解除時のリンク機構の動きを促進する第２の弾性体を設けていてもよい。
【００１４】
また、前記捕捉引込機構は、前記捕捉部材をスライド移動させて捕捉解除したときに、前記第１の弾性体の付勢力を保持するロック機構を備えていてもよい。
【００１５】
さらに、前記ロック機構は、前記リンクピンが挿通されるガイド孔を備え、このガイド孔は、前記リンクピンを前記第１の弾性体が付勢する方向へと案内する前後長孔と、前記リンクピンを前記第１の弾性体が付勢する方向と異なる方向へ案内する上下長孔とで構成することもできる。
【発明の効果】
【００１６】
本発明に係る開閉体閉止装置では、開閉体または前記開閉体を移動可能に案内する固定部材のいずれか一方に取り付けられた被捕捉部材と、前記開閉体または固定部材の他方に取り付けられ、前記被捕捉部材を捕捉するための捕捉部材、および、前記開閉体を前記固定部材に沿って移動させる開閉力によって前記被捕捉部材と当接して押圧されることによって前記捕捉部材を移動させて前記被捕捉部材を捕捉する当接ブロックを有する捕捉引込機構と、前記捕捉部材が前記被捕捉部材を捕捉した状態で、前記開閉体を強制的に閉じる方向へ付勢する第１の弾性体と、を備え、前記捕捉引込機構は、前記被捕捉部材を捕捉する際に、前記被捕捉部材に対して前記当接ブロックが押圧される方向に移動するように構成されているので、開閉体を勢いよく閉じたとしても、被捕捉部材に当接する勢いを緩衝することができる。これにより、捕捉時に当接ブロックと被捕捉部材とが接触するときの係合音（衝突音）を抑制し、係合音をより小さくすることができる。
また、前記捕捉部材が、前記開閉体を開閉させる速度よりも遅い速度で移動するようにしているので、捕捉部材が移動する勢いを緩め、捕捉部材をゆっくり移動させることができる。これにより、捕捉時に捕捉部材が上限まで移動したときに、リンクピンと誘導孔の上端部との衝突音を抑制し、動作音をより小さくすることができる。
【図面の簡単な説明】
【００１７】
【図１】本発明に係る開閉体閉止装置を備えた引き戸上部の正面図であって、（ａ）は開閉体の開時、（ｂ）は装置作動時、（ｃ）は開閉体の閉時を示す。
【図２】図１（ａ）の捕捉引込機構の拡大図であって、（ａ）は平面図、（ｂ）はＡ−Ａ線における断面図、（ｃ）は正面図である。
【図３】図１（ｂ）の捕捉引込機構の拡大図であって、（ａ）は平面図、（ｂ）はＢ−Ｂ線における断面図、（ｃ）は正面図である。
【図４】図１（ｃ）の捕捉引込機構の拡大図であって、（ａ）は平面図、（ｂ）はＣ−Ｃ線における断面図、（ｃ）は正面図である。
【図５】図１（ａ）の捕捉引込機構を単体で示したものであって、左斜め上方から見た斜視図である。
【図６】図１（ｃ）の捕捉引込機構を単体で示したものであって、左斜め上方から見た斜視図である。
【図７】図６の捕捉引込機構の分解斜視図である。
【図８】図７を右斜め上方から見た分解斜視図である。
【図９】キャッチ部を分解した状態の拡大図であって、（ａ）は図７のＤ部の拡大図、（ｂ）は図８のＥ部の拡大図である。
【図１０】図７に示す吊り下げ部と引込部との取付部分を拡大して示す分解斜視図である。
【図１１】キャッチ部を組立てた状態の拡大図であって、（ａ）は図２（ｂ）のＦ部拡大図、（ｂ）は図３（ｂ）のＧ部拡大図である。
【発明を実施するための形態】
【００１８】
以下、本発明の実施の形態に係る開閉体閉止装置１０について、図面を用いて詳細に説明する。なお、本実施の形態では、開閉体閉止装置１０を引き戸装置に使用したものについて説明する。
【００１９】
図１（ａ）、（ｂ）、（ｃ）は、引き戸装置の正面図であって、引き戸の開閉時の状態を示したものである。また、図２〜図４は、図１で示す捕捉引込機構２０の拡大図であって、図２は図１（ａ）の状態に対応し、図３は図１（ｂ）、図４は図１（ｃ）の状態に対応するものである。この図２〜図４において、（ａ）は捕捉引込機構２０の平面図、（ｂ）はＡ−Ａ（Ｂ−Ｂ、Ｃ−Ｃ）線で切断した断面図、（ｃ）は正面図である。
【００２０】
図１に示す引き戸装置は、建物の開口部の上縁部に沿って延在するガイドレール１と、このガイドレール１に沿って移動することで開口部を開閉する引き戸２（開閉体）と、引き戸２の閉まり際に制動しつつ、この引き戸２を閉位置に誘導する開閉体閉止装置１０とで構成されている。
【００２１】
この開閉体閉止装置１０は、ガイドレール１の戸当り３近傍の所定の位置に固定して設けられた被捕捉部材１１と、このガイドレール１上を図１の紙面横方向に沿って走行可能な捕捉引込機構２０とで構成されている。
【００２２】
被捕捉部材１１は、図１に示すように、下側に向けて突出する突部１１ａを有する突形状に形成されている。
一方、捕捉引込機構２０は、ガイドレール１の内方に移動可能に取り付けられている。より詳細には、捕捉引込機構２０には、その前側部と後側部とのそれぞれにガイドローラ２１が設けられており、このガイドローラ２１によってガイドレール１の長手方向に自由に移動可能になっている。
また、引き戸２は、その上端角部（紙面左斜め上の角部）が捕捉引込機構２０（詳細には、後述する捕捉引込機構２０の吊り下げ部３００）に取り付けられている。これにより、引き戸２に開閉方向へ力を加えると、捕捉引込機構２０のガイドローラ２１がガイドレール１上を転動し、引き戸２が開閉するようになる。
【００２３】
この捕捉引込機構２０には、詳細は後述するキャッチ部１００（図２〜図４参照）が設けられており、このキャッチ部１００が被捕捉部材１１の突部１１ａを捕捉する。
【００２４】
捕捉引込機構２０は、図１（ａ）及び図２（ｂ）に示すように、引き戸２の開状態では、被捕捉部材１１の突部１１ａを捕捉しない位置にある。すなわち、この状態では、捕捉引込機構２０は機能しておらず、待機状態である。
この待機状態から、引き戸２を左側に移動させると、引き戸２を閉めるときの閉まり際に、捕捉引込機構２０が被捕捉部材１１を捕捉する。また、上述したキャッチ部１００のロックが解除される（解除状態）。
この解除状態では、捕捉引込機構２０は、捕捉した被捕捉部材１１を引き戸２側（図１の例では右側）に引き寄せるように作用する。これにより、引き戸２は、図１（ｂ）および図３（ｂ）に示すように、相対的に閉じる方向（図１の例では左側）へと強制的に移動する（移動状態）。そして、図１（ｃ）および図４（ｂ）に示すように、引き戸２が完全に閉じられるようになる（閉止状態）。
【００２５】
図５は、図２の状態（待機状態）における捕捉引込機構２０を単体で示したものであって、左斜め上方から見た斜視図である。また図６は、図４の状態（閉止状態）における捕捉引込機構２０を単体で示したものであって、左斜め上方から見た斜視図である。さらに、図７は図６の捕捉引込機構２０の分解斜視図、図８は図７の捕捉引込機構２０を右斜め上方から見た分解斜視図、図９（ａ）は、図７のＤ部の拡大図、図９（ｂ）は、図８のＥ部の拡大図である。さらに、図１０は、図７に示す吊り下げ部と引込部との取付部分を拡大して示す分解斜視図である。
なお、以下の説明で使用する前後方向は、引き戸２を開閉する方向をいい、木口２ｂ側を前側とする。また、上下、左右方向は、木口２ｂ側から見た方向をいうものとする。
【００２６】
捕捉引込機構２０は、図５〜図８に示すように、被捕捉部材１１の突部１１ａを捕捉するキャッチ部１００と、このキャッチ部１００をガイドレール１の延在方向に沿って引き込むための引込部２００と、吊り下げる態様で引き戸２が取り付けられる吊り下げ部３００とを備えている。
【００２７】
キャッチ部１００は、図２〜図４および図７、図８、特に図９に示すように、後述するリンクピン１４０の位置によって動作するリンク機構で構成されている。より詳細には、キャッチ部１００は、図７〜図９に示すように、突部１１ａと所定位置で当接する当接ブロック１１０と、被捕捉部材１１の突部１１ａを捕捉するために上下方向に移動する捕捉板１２０と、これらの当接ブロック１１０と捕捉板１２０とを内包してこれら全体で移動する内包ブロック１３０と、これらの当接ブロック１１０、捕捉板１２０、内包ブロック１３０がリンク機構として動作するためのリンクピン１４０とで構成されている。
【００２８】
当接ブロック１１０は、図７、図８、特に図９（ａ）、図９（ｂ）に示すように、ほぼ直方体形状に形成された本体部１１１と、この本体部１１１の後方斜め上側に突出する態様で形成され、その上部が本体部１１１の上面よりも上側に突出している受け部１１２とで構成されている。
【００２９】
本体部１１１は、その内側が空洞になっており、この空洞は上下に貫通する態様で形成されている。この空洞内には、その下側の開口から、捕捉板１２０が挿入されて組み付けられる。また、本体部１１１には、正面から見て、左斜め上側から右斜め下側に向かって延びる傾斜孔１１１ａが形成されている。この傾斜孔１１１ａは、本体部１１１の左右方向に貫通する態様で形成されており、キャッチ部１００が組み付けられる際にリンクピン１４０が挿通されるようになる。
【００３０】
受け部１１２の前側の面には、図７および図９（ａ）に示すように、本体部１１１の上面から上方に向けて起立する当接面１１２ａが形成されている。この当接面１１２ａは、引き戸２が所定の位置まで閉じられたときに、被捕捉部材１１の突部１１ａと当接して押圧されるようになる（図３（ｂ）参照）。
また、受け部１１２の後側の面には、図８および図９（ｂ）に示すように、前後方向に窪んだ形状のばね受け溝１１２ｂが形成されている。このばね受け溝１１２ｂには、圧縮コイルばね１１３の一端部が支持される。
【００３１】
捕捉板１２０は、図７、図８、特に図９（ａ）、図９（ｂ）に示すように、略矩形状に形成され、その上面から上側に向けて突出する捕捉爪１２１が形成されている。この捕捉爪１２１は、捕捉板１２０が上方向に移動したときに、上述した受け部１１２とこの捕捉爪１２１とで被捕捉部材１１の突部１１ａを前後方向において捕捉するようになっている（図３（ｂ）参照）。
この捕捉爪１２１の後面には、テーパ当接面１２１ａが形成されている。このテーパ当接面１２１ａは、テーパの下側から前方斜め上側に向かって傾斜する傾斜面である。すなわち、引き戸２を開方向へ移動させるときに、このテーパ当接面１２１ａに被捕捉部材１１の突部１１ａが当接して、捕捉爪１２１をこのテーパ面と垂直な方向である前方斜め下側に向けて押し下げるようになる（図２（ｂ）参照）。
【００３２】
また、捕捉板１２０には、捕捉爪１２１の前側に位置する補助爪１２２が形成されている。この補助爪１２２は、上述した捕捉爪１２１と受け部１１２とによって突部１１ａを捕捉できなかったときに、捕捉爪１２１とこの補助爪１２２とで突部１１ａを捕捉する、いわば補助的に設けられたものである。
【００３３】
この補助爪１２２は、捕捉爪１２１と補助爪１２２とで被捕捉部材１１を捕捉した場合であっても、開閉体閉止装置１０が引き戸２を閉止させることができるようになっている。より詳細には、補助爪１２２は、引き戸２を開くときであって被捕捉部材１１の突起１１ａによって前方に向けて押圧されたときに、補助爪１２２が下側に撓んで被捕捉部材１１を補助爪１２２の前側に逃がすようになっている。なお、捕捉板１２０は、この補助爪１２２が押圧される位置では、詳細は後述するガイド孔２１１（図２〜図４参照）の上下長孔２１１ｂの位置に到達していない（捕捉爪１２１と受け部１１２で捕捉した位置が上下長孔２１１ｂの位置になる）ので、下側に移動することはできない。そのため、補助爪１２２は、下側に撓んで逃がすように構成されており、捕捉板１２０が上下長孔２１１ｂの位置まで達したときに、当接ブロック１１０が圧縮コイルばね１１３の付勢力によって前側に移動するのに伴って、下側に移動するようになっている。
【００３４】
さらに、捕捉板１２０には、捕捉爪１２１の下側に位置し、左右方向に貫通する取付孔１２３が形成されている。この取付孔１２３は、リンクピン１４０の外径と同じか少し大きな径の丸穴であり、この取付孔１２３には、詳細は後述するリンクピン１４０が挿通される。これにより、捕捉板１２０は、リンクピン１４０の移動に伴ってリンクピン１４０と一緒に移動することになる。
【００３５】
内包ブロック１３０は、図７〜図９に示すように、ほぼ直方体形状に形成された外郭部１３１と、この外郭部１３１の後端から後側に突出する支持部１３２と、外郭部１３１の左右の両側部からそれぞれ左右の外側に向けて突出する案内突部１３３とで構成されている。
【００３６】
外郭部１３１は、図７〜図９に示すように、その内部が空洞になっている。この空洞は上下に貫通する態様で形成されており、この空洞内には、その上側の開口から、当接ブロック１１０が挿入されて組み付けられる。また、外郭部１３１には、正面から見て、上下方向に延在する誘導孔１３１ａが形成されている。この誘導孔１３１ａは、外郭部１３１の左右方向に貫通する態様で形成されており、キャッチ部１００が組み付けられる際にリンクピン１４０が挿通されるようになる。
【００３７】
また、外郭部１３１の空洞内の後端部には、上下に起立する受け面１３１ｂが形成されている。この受け面１３１ｂには、内包ブロック１３０内に当接ブロック１１０が組み付けられた状態で、上述した圧縮コイルばね１１３の他端部が支持される。
【００３８】
さらに、外郭部１３１の下側後部（支持部１３２の下側）には、詳細は後述する引張ばねユニット２２５のばね受け２２７のくびれ部２２７ａを収容するくびれ部収容溝１３１ｃが形成されている。このくびれ部収容溝１３１ｃは、ばね受け２２７の左右方向および前後方向の位置を規制する。
【００３９】
支持部１３２には、図８および図９に示すように、その後端部に上下方向に延びる取付溝１３２ａが形成されている。この取付溝１３２ａには、詳細は後述するダンパーユニット２２１の出力軸２２１ａの先端部が挿入され、この出力軸２２１ａの左右方向の取付位置を規制している。
【００４０】
案内突部１３３は、前後方向（引き戸２の移動方向）に延在しており、引込部２００のガイド孔２１１（詳細は後述する。図７および図８参照）に嵌合される。これにより、キャッチ部１００が引込部２００に対して、このガイド孔２１１に沿って移動可能になっている。
【００４１】
引込部２００は、図７および図８に示すように、キャッチ部１００が内側に組み付けられるガイド部２１０と、このガイド部２１０の後側に取り付けられるダンパー支持部２２０とで構成されている。
【００４２】
ガイド部２１０は、図７および図８に示すように、前後方向に延在しており、この前後方向と直交する面における断面形状は、上側が開口するコ字形状に形成されている。すなわち、ガイド部２１０には、この上側の開口からキャッチ部１００が挿入され、組み付けられるようになっている。
【００４３】
また、ガイド部２１０の左右のそれぞれの側部には、逆Ｌ字形状をなすガイド孔２１１が形成されている。より詳細には、ガイド孔２１１は、前後方向に延びる前後長孔２１１ａと、この前後長孔２１１ａの前端部から下側に向けて延びる上下長孔２１１ｂとで形成されている。
このガイド孔２１１には、上述したリンクピン１４０が挿入される。すなわち、リンクピン１４０は、上述したキャッチ部１００をガイド部２１０内に挿入した後に、ガイド部２１０の外側からガイド孔２１１、内包ブロック１３０の誘導孔１３１ａ、当接ブロック１１０の傾斜孔１１１ａ、捕捉板１２０の取付孔１２３の順に挿通される。
また、上述したように、ガイド孔２１１の前後長孔２１１ａには、内包ブロック１３０の案内突部１３３が嵌合し、この前後長孔２１１ａに沿ってキャッチ部１００を前後方向に案内するようになっている。
【００４４】
また、ガイド孔２１１の上下長孔２１１ｂは、リンクピン１４０をこの上下長孔２１１ｂの下側に移動させたときに、キャッチ部１００が前後方向に移動するのを阻むようにする。すなわち、ガイド孔２１１は、キャッチ部１００の移動をロックするためのロック機構としても機能する。
【００４５】
さらに、ガイド部２１０には、取り付けのために、ガイド部２１０の底面を前方向に延ばし、この延ばした底面に取付孔２１２が形成されている。この取付孔２１２には、図７および図８に示すように、下側から取り付けねじ２１３が挿通され、取付ブロック２４０を介して吊り下げ部３００側に取り付けられる。
【００４６】
この取付ブロック２４０は、図７および図８、特に図１０に示すように、正面から見て略コ字形状をなしており、上ブロック２４１、下ブロック２４２、および側ブロック２４３とで構成されている。この上ブロック２４１および下ブロック２４２には、取付ねじ２１３が挿通される取付孔２４１ａ、２４２ａが上下方向に揃えてそれぞれ設けられている。また、側ブロック２４３には、左右方向に貫通する取付孔２４３ａが設けられている。
【００４７】
また、ガイド部２１０の後端部の左右の下側には、ダンパー支持部２２０に組み付けて位置決めするための延出部２１４が形成されている。
さらに、ガイド部２１０の左右側部の前側には、取付ブロック２４０の取付孔２４３ａに取付ピン２１５を介して取り付けるための取付孔２１６が形成されている。さらにまた、ガイド部２１０の左右側部の後側には、ダンパー支持部２２０の取付孔２１９に取付ピン２１７を介して取り付けるための取付孔２１８が形成されている。
【００４８】
ダンパー支持部２２０は、図７および図８に示すように、左右に分割して形成されており（左側のダンパー支持部を２２０ａ、右側のダンパー支持部２２０ｂで示す）、組み合わせた状態で、その内部にダンパーユニット２２１が収容されている。このダンパーユニット２２１は、出力軸２２１ａと、この出力軸２２１ａを軸方向に進退自在に保持しているユニット本体２２１ｂとを有している。ユニット本体２２１ｂ内には、出力軸２２１ａの縮長方向への移動に制動力を作用させるオイルなどの抵抗流体（図示省略）が収容されている。また、出力軸２２１ａの先端部は、キャッチ部１００と引込部２００とが組み付けられた状態で、支持部１３２の取付溝１３２ａに挿入され、ダンパーユニット２２１がキャッチ部１００の内包ブロック１３０の前後方向への移動を緩衝する。
【００４９】
この左右のダンパー支持部２２０ａ、２２０ｂには、ダンパーユニット本体２２１ｂの形状に合わせたダンパー収容溝２２４がそれぞれ形成されており、このダンパー収容溝２２４にダンパーユニット本体２２１ｂを入れ込む（収容する）態様で左右のダンパー支持部２２０ａ、２２０ｂを組み合わせることで、ダンパーユニット２２１が組み付けられる。
【００５０】
また、左側のダンパー支持部２２０ａの上側および下側には、右側のダンパー支持部２２０ｂに向けて突出する係合爪２２２がそれぞれ２つづつ（合計４つ）設けられている。一方、右側のダンパー支持部２２０ｂには、この係合爪２２２と対応する位置に係止溝２２３が設けられている。この左右のダンパー支持部２２０ａ、２２０ｂを組み合わせ、係合爪２２２を係止溝２２３に係止させることで、ダンパー支持部２２０が組み付けられるようになっている。
【００５１】
また、ダンパー支持部２２０には、ダンパーユニット２２１の下側に、引張ばねユニット２２５が取り付けられている。この引張ばねユニット２２５は、引張ばね２２６と、この引張ばね２２６の両端部に取り付けられた２つのばね受け２２７とで構成されている。
【００５２】
引張ばね２２６は、コイルばねであり、引張ばねユニット２２５では、引張ばねとして使用されている。また、２つのばね受け２２７は、その先端部分にくびれ部２２７ａが形成されている。
【００５３】
前側に位置するばね受け２２７は、左右のダンパー支持部２２０ａ、２２０ｂに形成され前後方向に延在するばね受け収容溝２２８に組み付けられ、ばね受け２２７のくびれ部２２７ａが、内包ブロック１３０のくびれ部収容溝１３１ｃに組み付けられる。これにより、前側のばね受け部２２７の前後方向の位置が規制される。
後側に位置するばね受け２２７は、前側のばね受け部の後方に位置し、同様にばね受け収容溝２２８に組み付けられる。また、ばね受け２２７のくびれ部２２７ａは、このばね受け収容溝２２８の後端部に形成されたくびれ部収容溝２２９に組み付けられる。これにより、後側のばね受け部２２７の前後方向の位置が規制される。
【００５４】
また、左右のダンパー支持部２２０ａ，２２０ｂには、図７および図８に示すように、ダンパー支持部２２０ａ、２２０ｂの後端部から後方に向けて延びる係合爪２３０がそれぞれ形成されている。この係合爪２３０は、引込部２００の後部に取り付けられる後側ガイドローラ部４００と着脱可能に取り付けられる。より詳細には、後側ガイドローラ部４００は、中央に位置する取付カバー４０１と、左右方向に延在する回転軸４０２と、この回転軸４０２に回転自在に取り付けられた２つのガイドローラ２１とで構成されている。
【００５５】
取付カバー４０１には、上述した係合爪２３０と係合可能な係合孔４０１ａが形成されている。これらの係合爪２３０および係合孔４０１ａは、締結部材等を使用せずに着脱可能に取り付けられている。すなわち、係合爪２３０の弾性によって係合孔４０１ａと係合又は係合解除が可能になっている。
【００５６】
吊り下げ部３００は、図７、図８、特に図１０に示すように、ガイドローラ２１を備えた前側ガイドローラ部３１０と、この前側ガイドローラ部３１０の下側に取り付けられ、引き戸２を固定すると共にその取付位置を微調整可能な固着ユニット３２０とを備えている。
【００５７】
前側ガイドローラ部３１０には、その中央に位置する本体部３１１に、図示しない回転軸を介して４つのガイドローラ２１が回転自在に取り付けられている。また、本体部３１１の後端部には、この後端部から後方に向けて延在し、上下方向に隙間をあけて形成された挟持部３１１ａが形成されている。この挟持部３１１ａには、取付孔３１１ｂが上下に貫通する態様で形成されている。
この挟持部３１１ａには、前述した取付ブロック２４０の上ブロック２４１が間に挟まれる態様で取り付けられ、取付ピン２１３が、それぞれ取付孔２１２、２４２ａ、２４１ａ、３１１ｂに挿通される。これにより、ガイド部２１０が、取付ブロック２４０を介して、吊り下げ部３００に固定される。
【００５８】
固着ユニット３２０は、その前端に表出している調整部３２１にドライバーを差し込んで回転させることにより、この固着ユニット３２０に取り付けられた引き戸２の左右方向の位置を微調整できるようになっている。
【００５９】
次に、本発明の実施の形態に係る開閉体閉止装置の作用について図２〜図４および図１１（ａ）、（ｂ）を用いて説明する。
図１１（ａ）は、キャッチ部１００が被捕捉部材１１の突部１１ａを捕捉していない状態（待機状態）を示す側部断面図であって、図２（ｂ）のＦ部拡大図である。また、図１１（ｂ）は、キャッチ部１００が被捕捉部材１１の突部１１ａを捕捉している状態（移動状態）を示す側部断面図であって、図３（ｂ）のＧ部拡大図である。
【００６０】
待機状態（引き戸２が開いた状態。図２（ａ）〜図２（ｃ）、および図１１（ａ）の状態）では、被捕捉部材１１は、捕捉引込機構２０のキャッチ部１００よりも前側（紙面左側）の離れた位置にある。この状態では、リンクピン１４０は、図２（ｃ）に示すように、ガイド孔２１１の上下長孔２１１ｂの下側に位置する。そのため、キャッチ部１００を前後方向（紙面左右）に移動させようとしても、リンクピン１４０がロックされており、キャッチ部１００が移動しないようになる。
【００６１】
このとき、リンクピン１４０は、図１１（ａ）に示すように、内包ブロック１３０の誘導孔１３１ａの下側に位置し、かつ、当接ブロック１１０の傾斜孔１１１ａの斜め下側の位置にある。すなわち、捕捉板１２０は、捕捉引込機構２０に対して、相対的に下側の位置にある。この状態では、図１１（ａ）に示すように、捕捉爪１２１が被捕捉部材１１の突部１１ａよりも下側の位置にあり、キャッチ部１００が突部１１ａを捕捉しない。
【００６２】
図１１（ａ）の状態（待機状態）から、引き戸２を閉方向へ移動させると、被捕捉部材１１の突部１１ａは、キャッチ部１００の当接ブロック１１０の当接面１１２ａに当接する。さらに、当接面１１２ａは、突部１１ａによって後方（紙面右側）へと押し込まれ、当接ブロック１１０は圧縮コイルばね１１３の付勢力に抗して後方（当接ブロック１１０が押圧される方向）へと移動する。
【００６３】
この解除状態では、図１１（ｂ）に示すように、リンクピン１４０は、当接ブロック１１０の後方への移動に伴い、傾斜孔１１１ａに沿って上方へと押し上げられる。また、リンクピン１４０は、内包ブロック１３０の誘導孔１３１ａに沿って上方へ移動する。すなわち、このリンク機構では、当接ブロック１１０が内包ブロック１３０に対して相対的に後方へ移動する。また、このリンク機構では、捕捉板１２０が内包ブロック１３０に対して相対的に上方へと移動する。これにより、被捕捉部材１１の突部１１ａを、当接ブロック１１０の受け部１１２と、捕捉板１２０の捕捉爪１２１とで前後方向において捕捉する。
ここで、捕捉板１２０の上方への移動速度は、傾斜孔１１１ａの長さを基準にすると、誘導孔１３１ａの長さが短いため、当接ブロック１１０の移動速度よりも遅くすることができる。すなわち、捕捉板１２０は、引き戸２を開閉させる速度（当接ブロック１１０の移動速度）よりも遅い速度で移動するようになる。
【００６４】
さらに、リンクピン１４０は、ガイド部２１０の上下長孔２１１ｂの上方へ移動する。これにより、リンクピン１４０のロックが解除され、キャッチ部１００がガイド部２１０の前後長孔２１１ａに沿って前後方向へ自由に移動できるようになる（解除状態）。
【００６５】
解除状態では、キャッチ部１００は、引張ばねユニット２２５の引張ばね力によって、後方（紙面）右側方向へと付勢される。より詳細には、キャッチ部１００は、被捕捉部材１１の固定位置で移動を停止し、キャッチ部１００を除く他の捕捉引込機構２０の部分が、ガイド部１００の前後長孔２１１ａに沿って、相対的に前方向（紙面左側方向。閉止方向）へと移動する（移動状態）。すなわち、この引張ばねユニット２２５の引張ばね力は、引き戸２を強制的に閉止する方向へと付勢する。これにより、引き戸２は、半開きの状体であっても、このばね力によって強制的に閉じられ、引き戸２が完全に閉じられる（閉止状態）。
一方、上述した移動状態では、引張ばねユニット２２５のばね力によって、引き戸２が勢いよく戸当り３に衝突しないように、ダンパーユニット２２１でばね力を緩衝している。
【００６６】
他方、引き戸２を閉じられた状態から開く場合（閉止状態から移動状態へと移行する場合）には、図１１（ｂ）において引き戸２を後方（紙面右側）へと移動させる。このとき、突部１１ａは、捕捉板１２０の捕捉爪１２１（詳細には、捕捉爪１２１のテーパ当接面１２１ａ）に当接する。この場合、キャッチ部１００は被捕捉部材１１の固定位置で停止し、キャッチ部１００を除く他の捕捉引込機構２０の部分は、ガイド部１００の前後長孔２１１ａに沿って、相対的に後方向（紙面右側方向。開方向）へと移動する。この移動は、引張ばねユニット２２５の引張ばね２２６を引っ張る方向である。
【００６７】
さらに引き戸２を開くと、やがてリンクピン１４０がガイド部２１０の前後長孔２１１ａの前側端部に突き当たる（解除状態）。この状態からさらに引き戸２をさらに開くと、被捕捉部材１１の突部１１ａが捕捉爪１２１のテーパ当接面１２１ａを強く押圧する。これにより、捕捉板１２０は、テーパ当接面１２１ａのテーパに沿って被捕捉部材１１の突部１１ａから離れる方向、すなわち、下側へ沈むように直線的にスライド移動し、リンクピン１４０を下側へと押し下げる。
【００６８】
このとき、リンクピン１４０は、捕捉板１２０と共に、内包ブロック１３０の誘導孔１３１ａに沿って下側に移動する。これにより、捕捉板１２０は、内包ブロック１３０に対して相対的に下側に移動することになる（待機状態）。
また、当接ブロック１１０は、リンクピン１４０が傾斜孔１１１ａに沿って右斜め下側に移動する。これにより、当接ブロック１１０は、内包ブロック１３０に対して相対的にその傾斜分だけ前側へと移動する。
また、この当接ブロック１１０は、圧縮コイルばね１１３の付勢力によって、前方へと移動する力が促進（補助）されることになる。これにより、捕捉解除時（解除状態から待機状態への移行時）のリンク機構の動きがよりスムーズになる。
【００６９】
これにより、リンクピン１４０は、ガイド部２１０の上下長孔２１１ｂへの下側へと移動する。この状態では、リンクピン１４０は左右方向への移動がロックされ、待機状態になる。また、引用ばねユニット２２５の引張ばね２２６は、引張された状態で保持されることになる。
【００７０】
本発明の実施の形態に係る開閉体閉止装置によれば、捕捉引込機構２０は、被捕捉部材１１の突部１１ａを捕捉する際に、被捕捉部材１１の突部１１ａに対して当接ブロック１１０が後側へと押圧される方向に移動するように構成されているので、引き戸２を勢いよく閉じたとしても、被捕捉部材１１に当接する勢いを緩衝することができる。これにより、捕捉時に当接ブロック１１０と被捕捉部材１１の突部１１ａとが接触するときの係合音（衝突音）を抑制し、係合音をより小さくすることができる。
【００７１】
また、捕捉板１２０の捕捉爪１２１が、引き戸２を開閉させる速度よりも遅い速度で上方へと移動するようにしているので、捕捉板１２０が上方に移動する勢いを緩め、捕捉板１２０をゆっくり上昇させることができる。これにより、捕捉時に捕捉板１２０が上限まで移動したときに、リンクピン１４０と誘導孔１３１ａの上端部との衝突音を抑制し、動作音をより小さくすることができる。
【００７２】
また、捕捉引込機構２０は、引き戸２をガイドレール１に沿って移動させる開閉力によって捕捉板１２０および当接ブロック１１０をスライド移動させるリンク機構で構成されているので、捕捉板１２０および当接ブロック１１０を一緒に移動させる動作を容易に実現することができる。
【００７３】
さらに、このリンク機構は、捕捉板１２０に取り付けられたリンクピン１４０と、リンクピン１４０が挿通される誘導孔１３１ａを有し、誘導孔１３１ａに沿って捕捉板１２０を上下に移動させる内包ブロック１３０と、当接ブロック１１０とで構成され、当接ブロック１１０には、リンクピン１４０が挿通される傾斜孔１１１ａが形成され、被捕捉部材１１の突部１１ａに押圧されたときに、傾斜孔１１１ａに沿って捕捉板１２０を上下方向に移動させると共に、傾斜孔１１１ａに沿って内包ブロック１３０に対して相対的に前後方向に移動するようにしているので、上述した捕捉板１２０および当接ブロック１１０を一緒に容易に移動させることができる。
【００７４】
さらにまた、このリンク機構は、内包ブロック１３０と当接ブロック１１０との間に、捕捉解除時に当接ブロック１１０を前方向に付勢して、捕捉解除時のリンク機構の動きを促進する圧縮コイルばね１１３を設けているので、捕捉解除時のリンク機構の動きを軽くすることができる。
【００７５】
また、捕捉引込機構２０は、捕捉板１２０をスライド移動させて捕捉解除したときに、引張ばね２２６の付勢力を保持するロック機構を備えているので、上述したリンク機構を利用して、ロック機構を容易に構成することができる。
【００７６】
さらに、ロック機構はリンクピン１４０が挿通されるガイド孔２１１を備え、このガイド孔２１１は、リンクピン１４０を引張バネ２２６が付勢する方向（前後方向）へと案内する前後長孔２１１ａと、リンクピン１４０を引張バネ２２６が付勢する方向と異なる方向（上下方向）へ案内する上下長孔２１１ｂとで構成されているので、引き戸２をガイドレール１に沿って移動させる開閉力によって捕捉板１２０および当接ブロック１１０を移動させるだけでなく、上述したリンク機構を利用して、ロック機構を容易に構成することができる。そのため、ロック機構を別個に設ける必要がなくなり、部品点数を削減することができる。
【００７７】
以上、本発明の実施の形態に係る開閉体閉止装置について述べたが、本発明は既述の実施形態に限定されるものではなく、本発明の技術思想に基づいて各種の変形および変更が可能である。
例えば、本実施の形態では、引き戸２について記載しているが、これに限定されるものではない。例えば、抽斗や観音開きの戸などを開閉する場合であっても、戸を強制的に閉じる方向に付勢する装置であれば、本発明を利用することができる。
【００７８】
また、本実施の形態では、引き戸の上部に開閉体閉止装置１０を設けているが、下部に設けることもできる。すなわち、ガイドレール１を開口部の下縁部に取り付けてある場合であっても、本発明に係る開閉体閉止装置２０をその下部に取り付けるようにしてもよい。
【００７９】
また、本実施の形態では、引張ばね２２６および圧縮コイルばね１１３を、弾性体であるばねとして記載したが、ばねに限定されない。すなわち、弾性によって付勢力を生じさせるものであれば本発明に使用することができる。
【００８０】
さらに、本実施の形態では、ガイド部２１０に形成されたガイド孔２１１（前後長孔２１１ａ、上下長孔２１１ｂ）が逆Ｌ字形状に形成されているが、リンク機構におけるリンクピン１４０の移動方向と引張ばねユニット２２５の引張ばね２２６の付勢方向とに基づいて、他の形状に形成することもできる。すなわち、引張ばね２２６の付勢方向と同じ方向に延びる前後長孔２１１ａに対し、上下長孔は、引張ばね２２６の付勢方向と異なる方向に向いていれば、引張ばね２２６の付勢力を保持することができ、ロック機構が機能することになる。
【符号の説明】
【００８１】
１  ガイドレール（固定部材）
２  引き戸（開閉体）
３  戸当り
１０  開閉体閉止装置
１１  被捕捉部材
１１ａ  突部
２０  捕捉引込機構
２１  ガイドローラ
１００  キャッチ部
１１０  当接ブロック
１１１  本体部
１１１ａ  傾斜孔
１１２  受け部
１１２ａ  当接面
１１３  圧縮コイルばね（第２の弾性体）
１２０  捕捉板（捕捉部材）
１２１  捕捉爪
１２１ａ  テーパ当接面
１２２  補助爪
１３０  内包ブロック
１３１  外郭部
１３１ａ  誘導孔
１３１ｂ  受け面
１３２  支持部
１３２ａ  取付溝
１３３  案内突部
１４０  リンクピン
２００  引込部
２１０  ガイド部
２１１  ガイド孔
２１１ａ  前後長孔
２１１ｂ  上下長孔
２１３  取り付けねじ
２１４  延出部
２１５、２１７  取付ピン
２２０（２２０ａ、２２０ｂ）  ダンパー支持部
２２１  ダンパーユニット
２２２  係合爪
２２５  引張ばねユニット
２２６  引張ばね（第１の弾性体）
２２７  ばね受け
２２８  ばね受け収容溝
２２９  くびれ部収容溝
２３０  係合爪
２４０  取付ブロック
２４１  上ブロック
２４２  下ブロック
２４３  側ブロック
３００  吊り下げ部
３１０  前側ガイドローラ部
３１１  本体部
３１１ａ  挟持部
３２０  固着ユニット
３２１  調整部
４００  後側ガイドローラ部
４０１  取付カバー
４０２  回転軸
【図１】
0005726556.tif 000002
【図２】
0005726556.tif 000003
【図３】
0005726556.tif 000004
【図４】
0005726556.tif 000005
【図５】
0005726556.tif 000006
【図６】
0005726556.tif 000007
【図７】
0005726556.tif 000008
【図８】
0005726556.tif 000009
【図９】
0005726556.tif 000010
【図１０】
0005726556.tif 000011
【図１１】
0005726556.tif 000012